(57)【要約】【課題】  排便された排泄物が身体に付着するのを防止できる排泄物容器を提供する。【解決手段】  収納口１３から排泄物を受け入れて内部に貯溜する貯溜袋１１と、貯溜袋１１の収納口部１２に設けられ、収納口１３を開閉自在に閉塞して貯溜袋１１の内部に貯溜した排泄物が外方に洩出するのを防止する逆止弁２１と、を備えた。ここで、逆止弁２１は、放射状に分割された４枚の弁体２２で構成した。各弁体２２は、基部２２ａが収納口部１２の周縁に接合され、基部２２ａと反対の中央側端部２２ｂが基部２２ａを軸に貯溜袋１１の内外方向に弾性的に回動するよう形成した。なお、弁体２２は一部が他の弁体２２の一部と離脱可能に重なり合うものとしてもよい。【選択図】図１
2017006639.tif 000002
【特許請求の範囲】
【請求項１】
着用者に直接取り付けて単独で用いられまたはおむつの内部に取り付けて用いられる排泄物容器であって、
収納口から排泄物を受け入れて内部に貯溜する貯溜袋と、
該貯溜袋の収納口部に設けられ、該収納口を開閉自在に閉塞して該貯溜袋の内部に貯溜した排泄物が外方に洩出するのを防止する逆止弁と、
を備えたことを特徴とする排泄物容器。
【請求項２】
前記逆止弁は、放射状に分割された複数の弁体で構成され、
前記各弁体は、基部が前記収納口部の周縁に接合され、前記基部と反対の中央側端部が前記基部を軸に前記貯溜袋の内外方向に弾性的に回動するよう形成され、一部が他の前記弁体の一部と離脱可能に重なり合っていることを特徴とする請求項１に記載の排泄物容器。
【請求項３】
前記逆止弁は、前記貯溜袋の収納口部の周縁との接合部を軸に該貯溜袋の内外方向に回動する蓋部材で形成され、弾性的に常時前記収納口の外方に向けて付勢されるとともに該収納口部に設けられたストッパによって前記回動が規制されることにより、前記収納口を開閉自在に閉塞していることを特徴とする請求項１に記載の排泄物容器。
【発明の詳細な説明】
【技術分野】
【０００１】
本発明は、寝たきりの病人や高齢者、その他の高齢者、乳幼児、障害者等の着用者に直接取り付けて単独で用いられ、あるいは着用者のおむつの内部に取り付けて用いられる排泄物容器に関するものである。
【背景技術】
【０００２】
前記寝たきりの病人や高齢者等向けに各種おむつが商品化されている。そして、おむつには使用、処理等の使い勝手を良くするために例えば特許文献１、２等に記載の技術が開示されている。
【先行技術文献】
【特許文献】
【０００３】
【特許文献１】特開２００６−３２０５９３号公報
【特許文献２】特開２００３−５２７２０１号公報
【発明の概要】
【発明が解決しようとする課題】
【０００４】
しかし、従来のおむつは、着用者が座ったりしゃがんだりしたとき、おむつの内部に排便された排泄物が身体の皮膚に付着し、その結果、不衛生であるとともに着用者に不快感を与えるなどの不具合を生じることがあった。
【０００５】
そこで、本発明は、排便された排泄物が身体に付着するのを防止できる排泄物容器の提供を課題とする。
【課題を解決するための手段】
【０００６】
請求項１の排泄物容器は、着用者に直接取り付けて単独で用いられまたはおむつの内部に取り付けて用いられるものであって、収納口から排泄物を受け入れて内部に貯溜する貯溜袋と、該貯溜袋の収納口部に設けられ、該収納口を開閉自在に閉塞して該貯溜袋の内部に貯溜した排泄物が外方に洩出するのを防止する逆止弁と、を備えている。
【０００７】
請求項２の排泄物容器は、特に、逆止弁が、放射状に分割された複数の弁体で構成され、前記各弁体は、基部が前記収納口部の周縁に接合され、前記基部と反対の中央側端部が前記基部を軸に前記貯溜袋の内外方向に弾性的に回動するよう形成され、一部が他の前記弁体の一部と離脱可能に重なり合っている。
【０００８】
請求項３の排泄物容器は、特に、逆止弁が、貯溜袋の収納口部の周縁との接合部を軸に該貯溜袋の内外方向に回動する蓋部材で形成され、弾性的に常時前記収納口の外方に向けて付勢されるとともに該収納口部に設けられたストッパによって前記回動が規制されることにより、前記収納口を開閉自在に閉塞している。
【発明の効果】
【０００９】
請求項１の発明は、逆止弁により貯溜袋内の排泄物が逆流して収納口から外方に漏出するのが防止されるので、排泄物が身体の皮膚等に付着して汚れるのを防止できる。その結果、不衛生となるのが防止され、また、排泄物が付着することによって着用者に不快感を与えるのが防止される。
【００１０】
請求項２の発明は、逆止弁の一部が他の弁体の一部と離脱可能に重なり合っているので、他の弁体と干渉することによりそれが抵抗となって弁体が収納口の閉塞位置を越えて外方まで弾性的に回動するのが抑制される。その結果、弁体は閉塞位置に停止して収納口を閉塞するので、貯溜袋内に排便された排泄物によって押し上げられて収納口から排泄物が洩出し外方に逆流するのを阻止できる。
【００１１】
請求項３の発明は、収納口部にストッパが設けられているので、逆止弁が収納口の閉塞位置を越えて外方にまで弾性的に回動するのが阻止される。その結果、逆止弁は閉塞位置に停止して収納口を閉塞するので、貯溜袋内に排便された排泄物によって押し上げられて収納口から排泄物が洩出し外方に逆流するのを防止できる。
【図面の簡単な説明】
【００１２】
【図１】本発明の第一実施形態の排泄物容器の斜視図である。
【図２】図１とは別の排泄物容器を示す平面図である。
【図３】図１とは更に別の排泄物容器を示す平面図である。
【図４】図１とは更に別の排泄物容器を示す平面図である。
【図５】図１とは別の弁体を示す平面図である。
【図６】本発明の第二実施形態の排泄物容器を示し、(a)は平面図、(b)は縦断面図、(c)は(b)の変形例を示す要部縦断面図である。
【発明を実施するための形態】
【００１３】
〈第一実施形態〉
まず、本発明の第一実施形態の排泄物容器を図に基づいて説明する。なお、各実施の形態を通じ、同一の部材、要素または、部品、部分には同一の符号を付して、其の説明を省略する場合もある。本実施形態では、排泄物容器の貯溜袋の収納口側を上側とし、該貯溜袋の底部側を下側として説明する。
【００１４】
本実施形態の排泄物容器は、寝たきりの病人や高齢者、その他の高齢者、乳幼児、障害者等の着用者の肛門直下に取り付けられ、排便等の排泄物を内部に貯溜するものであり、単独で着用者に直接取り付けて用いられ、あるいはおむつの内部に取り付けて用いられるものである。図１において、排泄物容器１は、おむつの内部に取り付けられるものを示しており、収納口部１２の収納口１３から排泄物を受け入れて内部に貯溜する貯溜袋１１と、貯溜袋１１の収納口部１２に設けられ、貯溜袋１１の内部に貯溜した排泄物が外方に洩出するのを防止する逆止弁２１と、を備えている。なお、図１において、おむつの図示は省略してある。
【００１５】
貯溜袋１１は、布材、紙材等で形成され、必要に応じて、内部には排尿等の液体を吸収する吸収材が収納され、あるいは内面が液体を吸収する吸収性素材で内張りされている。貯溜袋１１は、おむつ内に収容可能であり、かつ、排泄物を収容可能な容積を有し、通常は、蛇腹構造などに折り畳まれるなどしておむつ内に収容されており、排泄物が収納口１３から進入してきたときに内容積が拡張するようになっている。貯溜袋１１の収納口１３は、円形の他、楕円形、矩形、半円形等の形状に形成されている。
【００１６】
逆止弁２１は、十字状のスリットにより、収納口１３の中央を中心として放射状に分割された複数、本実施形態では４枚の扇板状の弁体２２で構成されている。各弁体２２は、可撓性を有する樹脂板等で形成され、少なくとも肛門に面して排泄物が落下する上面側は、滑りを良くして排泄物が円滑に貯溜袋１１内に落下するよう、加えて、対腐食性を備えるべく、シリコン樹脂、フッ素樹脂等で形成されているのが望ましく、あるいはこれらの樹脂が上面側にコーティングされているのが望ましい。
【００１７】
扇板状の各弁体２２は、中心角が９０度をなし、円弧部分は収納口１３の周縁１４に接合された基部２２ａとなっている。基部２２ａと反対の中央側端部２２ｂは、収納口１３の中央に位置し、基部２２ａを軸に貯溜袋１１の内外方向に弾性的に回動するようになっている。逆止弁２１は、通常は貯溜袋１１の収納口１３に水平方向に張り出しすなわち面一状態に張り出し、４枚の弁体２２が一体となって収納口１３の全体を開閉自在に閉塞している。
【００１８】
このように構成された排泄物容器１は、排便された排泄物が貯溜袋１１の収納口１３の弁体２２の上面に落下すると、弁体２２は排便等の排泄物の重みにより基部２２ａを軸として下方に撓み、中央側端部２２ｂは垂れ下がる。これにより、収納口１３は開口し、弁体２２は撓んで傾斜して排泄物は弁体２２の上面を滑り落ち、貯溜袋１１内に落下する。排泄物が貯溜袋１１内に落下した後は、弁体２２は弾性的に元の水平位置に復帰し、収納口１３は再び閉塞される。
【００１９】
次に、排泄物が貯溜袋１１内に落下している状態で、着用者がしゃがんだり座ったりすると、排泄物は収納口１３側に上昇して外方にはみ出そうとする。しかし、収納口１３には逆止弁２１が設けられているので、収納口１３より上方への移動は阻止され、それにより、着用者の皮膚に排泄物が付着するのが防止される。このため、不衛生となるのが防止され、着用者が不快感を覚えるのが防止される。なお、排便により弁体２２の上面には一旦排泄物が載り、貯溜袋１１内に落下後も幾分かは排泄物が付着するが、その量は僅かであり、特に大きな支障にはならない。また、貯溜袋１１内の排泄物は、着用者がしゃがんだりしたときに、逆止弁２１により収納口１３より上方への移動は阻止されるため、貯溜袋１１内を側方に広がることになる。
【００２０】
次に、第一実施形態の別の排泄物容器を図２の平面図に示す。
図２において、排泄物容器１の逆止弁２１の各弁体２２は、一部が他の弁体２２の一部と上下方向に離脱可能に重なり合っている。具体的には、扇形状の側辺の長さが収納口１３の周縁１４から中心までの距離すなわち半径より大きく設定されていて、弁体２２の基部２２ａ側から見て左側の側辺部分が図２の左隣の弁体２２の一部にかぶさるようにはみ出している。各弁体２２の一部であるはみ出しによる重合部２３を図２の斜線部分で示す。
【００２１】
この排泄物容器１の場合は、排便された排泄物が貯溜袋１１の収納口１３の弁体２２の上面に落下すると、図１に示した逆止弁２１と同様に、弁体２２は排便等の排泄物の重みにより基部２２ａを軸として下方に撓み、中央側端部２２ｂは垂れ下がる。但し、その後に、着用者がしゃがんだり座ったりした際に排泄物が収納口１３側に上昇して弁体２２を押し上げ外方にはみ出そうとしたとき、弁体２２は一部が他の弁体２２と重なり合っていることにより他の弁体２２が抵抗となるため、弁体２２が収納口１３の閉塞位置を越えて外方まで弾性的に回動するのを抑制する力が大きくなる。その結果、貯溜袋１１内に排便された排泄物が洩出し外方に逆流するのを阻止する効力が大きくなる。
【００２２】
次に、第一実施形態の更に別の排泄物容器を図３に示す。
図３の排泄物容器１は、弁体２２の両側片の基部２２ａ側の位置において収納口１３の周縁１４から中心に向けてストッパが突設されている。ここで、図３(a)は棒状のストッパ２４を示し、図３(b)はＴ字状のストッパ２５を示す。これら図３に示す排泄物容器１は、貯溜袋１１内の排泄物が収納口１３側に上昇して弁体２２を押し上げ外方にはみ出そうとしたとき、弁体２２がこれらのストッパに規制されて収納口１３の閉塞位置を越えて外方まで弾性的に回動するのを阻止する力が増し、逆止弁２１による逆流防止効果が増す。
【００２３】
次に、第一実施形態の更に別の排泄物容器を図４に示す。
図４(a)の排泄物容器１は、弁体２２の一方の側辺の周辺部における斜線で示した部分が厚肉部２６となっている。この排泄物容器１の弁体２２は、中央側端部２２ｂとは異なる部分が撓み易くなっている。また、図４(b)の排泄物容器１は、弁体２２の上面において扇形状の両方またはいずれか一方の側辺の周辺部に斜めに棒部材２７が載置接合されている。
【００２４】
ところで、上記各実施形態の弁体２２は平面形状に形成されているが、図５に示すように、弁体２２の平面上に、僅かに上方に突出する複数の突条２８が基部２２ａ側から中央側端部２２ｂにかけて直線状に設けられたものとしてもよい。この場合、排泄物は弁体２２において主に突条２８の上に載置され、弁体２２との接触面積は小さくなり、弁体２２上を滑り落ちるときの抵抗が小さくなるので、弁体２２上に排便された排泄物は貯溜袋１１内に落下し易い。加えて、突条２８により、弁体２２の強度、剛性は大きくなる。
【００２５】
〈第二実施形態〉
次に、本発明の第二実施形態の排泄物容器を図６に基づいて説明する。
図６(a)、(b)において、第二実施形態の排泄物容器１は、逆止弁２１が、貯溜袋１１の収納口部１２の周縁との接合部を軸に貯溜袋１１の内外方向すなわち図６(b)において一点鎖線で示す上下方向に回動する蓋部材２９で形成されている。逆止弁２１である蓋部材２９は収納口１３の全体を覆う大きさに形成され、樹脂板等で形成されている。蓋部材２９は、第一実施形態の弁体２２と同様に、排泄物の滑りを良くして排泄物の落下を容易とすべく、シリコン樹脂、フッ素樹脂等で形成し、あるいはこれらの樹脂をコーティングするのが望ましい。また、蓋部材２９は上面に、図５に示したような複数の突条２８を所定の間隔をおいて直線状あるいは曲線状に突設した凹凸面に形成してもよい。
【００２６】
蓋部材２９からなる逆止弁２１の接合部には、逆止弁２１を常時上方に回動する方向に付勢するコイル状のばね材３０を備えている。そして、収納口部１２の周縁においてばね材３０と反対側には収納口１３の中心に向けて突出する所定幅のストッパ３１が設けられており、逆止弁２１は上面の一部がストッパ３１の下面と当接し、収納口１３より上方にまで回動するのが規制されている。これらにより、逆止弁２１は、収納口１３と同一高さに位置して収納口１３の全体を開閉自在に閉塞している。したがって、貯溜袋１１内に排便された排泄物によって押し上げられて収納口１３から排泄物が洩出し外方に逆流するのが防止される。
【００２７】
なお、逆止弁２１を常時上方に回動する方向に付勢するばね材は、図６(c)に示すように、上下方向の略中央部分でく字状に折曲したヒンジ構造の板ばね材３２で形成してもよく、これを逆止弁２１である蓋部材２９の下面及び貯溜袋１１の内壁面に接合することにより、逆止弁２１を常時上方に回動する方向に付勢することができる。
【００２８】
ところで、上記各実施形態の排泄物容器１は、排便を収納するものを示しているが、本発明の排泄物容器１は、排尿を貯溜することもでき、また、排便と排尿とを同時に貯溜することもできる。
なお、排泄物容器１を単独で着用者に直接取り付けて使用する場合は、排泄物容器１は、例えば、長期使用には好ましくないが粘着性のテープなどを使用して取り付けることができる。
【産業上の利用可能性】
【００２９】
本発明は、おむつを製造する産業で利用される。
【符号の説明】
【００３０】
１    排泄物容器
１１  貯溜袋
１２  収納口部
１３  収納口
１４  周縁
２１  逆止弁
２２  弁体
２２ａ  基部
２２ｂ  中央側端部
２９  蓋部材
３０  ばね材
３１  ストッパ
３２  板ばね材
【図１】
2017006639.tif 000003
【図２】
2017006639.tif 000004
【図３】
2017006639.tif 000005
【図４】
2017006639.tif 000006
【図５】
2017006639.tif 000007
【図６】
2017006639.tif 000008